(57)【要約】【課題】視認可能な目印や仕切紙を用いることなく、排出トレイに出力された記録紙を簡単に識別することができる印刷装置を提供する。【解決手段】記録紙Ｐに印刷を行って排出トレイ４０に出力する記録部と、排出トレイ４０に出力された記録紙Ｐの上面側から、排出トレイＰの所定領域に不可視光を照射する発色ライト１２０と、可視光では透明で、発色ライト１２０の不可視光によって発色する蛍光透明インキを用いて、排出トレイ４０に出力された際に上面となる記録紙Ｐの一方面の、発色ライト１２０の照射領域に対応する位置に目印を印刷する目印記録部とを備えている。【選択図】図３
2017154285.tif 000002
【特許請求の範囲】
【請求項１】
記録紙に印刷を行って排出トレイに出力する記録部と、
前記排出トレイに出力された前記記録紙の上面側から、前記排出トレイの所定領域に不可視光を照射する発色ライトと、
可視光では透明で、前記発色ライトの不可視光によって発色する蛍光透明インキを用いて、前記排出トレイに出力された際に上面となる前記記録紙の一方面の、前記発色ライトの照射領域に対応する位置に目印を印刷する目印記録部と、
を具備することを特徴とする印刷装置。
【請求項２】
前記発色ライトは、照射方向を複数の方向に切換えて、前記排出トレイ上の照射領域を切換え可能に構成されており、
前記発色ライトの照射方向を検出する照射方向検出部と、
前記記録紙における目印印刷の印刷位置を出力目印位置情報として記憶する出力目印位置情報記憶部と、
前記照射方向検出部による照射方向の検出、及び前記出力目印位置情報に基づいて、前記発色ライトの現在の照射領域に目印印刷が施された前記記録紙があると判断されると前記発色ライトを点灯させる点灯制御部とを具備することを特徴とする請求項１記載の印刷装置。
【請求項３】
前記目印記録部は、前記照射方向検出部による照射方向の検出によって把握される前記照射領域に対応する位置に目印を印刷することを特徴とする請求項２記載の印刷装置。
【請求項４】
前記排出トレイに出力された前記記録紙を検出する記録紙検出部を具備し、
前記記録紙検出部によって、前記排出トレイに出力された前記記録紙が取り除かれてなくなったことが検出されると、
前記点灯制御部は、前記発色ライトを消灯させると共に、前記出力目印位置情報記憶部に記憶された前記出力目印位置情報を消去させることを特徴とする請求項２又は３記載の印刷装置。
【発明の詳細な説明】
【技術分野】
【０００１】
本発明は、記録紙にユーザー識別用の目印を印刷して排出トレイに排出する印刷装置に関する。
【背景技術】
【０００２】
ＬＡＮ（Local Area Network）等のネットワーク上の印刷装置では、ユーザー端末から受信した印刷ジョブによって印刷した記録紙を共通の排出トレイに順次出力するのが一般的である。そのため、ユーザーは印刷装置の排出トレイに積み上げられた記録紙の中から、自身の印刷ジョブによって出力させた記録紙を識別する必要がある。そのため、線状の目印をジョブ毎に異なる位置にスライドさせて記録紙の側面に記録する技術や、印刷部数毎に仕切紙を挿入する技術が提案されている（例えば、特許文献１、２を参照）。
【先行技術文献】
【特許文献】
【０００３】
【特許文献１】特開２００６−１５９５６２号公報
【特許文献２】特開２００４−２２４５１８号公報
【発明の概要】
【発明が解決しようとする課題】
【０００４】
しかしながら、特許文献１の技術では、線状の目印が記録紙の側面に視認可能な状態で印刷されているため、正式な文書として用いることができない虞がある。また、特許文献２の技術では、目印として挿入した仕切紙が無駄になる。仕切紙を再利用するためには、印刷装置のカセット等に戻す煩雑な作業が必要になる。
【０００５】
本発明は、上記課題に鑑みてなされたものであり、視認可能な目印や仕切紙を用いることなく、排出トレイに出力された記録紙を簡単に識別することができる印刷装置を提供することを目的とする。
【課題を解決するための手段】
【０００６】
本発明の印刷装置は、記録紙に印刷を行って排出トレイに出力する記録部と、前記排出トレイに出力された前記記録紙の上面側から、前記排出トレイの所定領域に不可視光を照射する発色ライトと、可視光では透明で、前記発色ライトの不可視光によって発色する蛍光透明インキを用いて、前記排出トレイに出力された際に上面となる前記記録紙の一方面の、前記発色ライトの照射領域に対応する位置に目印を印刷する目印記録部と、を具備することを特徴とする。
さらに、本発明の印刷装置において、前記発色ライトは、照射方向を複数の方向に切換えて、前記排出トレイ上の照射領域を切換え可能に構成されており、前記発色ライトの照射方向を検出する照射方向検出部と、前記記録紙における目印印刷の印刷位置を出力目印位置情報として記憶する出力目印位置情報記憶部と、前記照射方向検出部による照射方向の検出、及び前記出力目印位置情報に基づいて、前記発色ライトの現在の照射領域に目印印刷が施された前記記録紙があると判断されると前記発色ライトを点灯させる点灯制御部とを備えていても良い。
さらに、本発明の印刷装置において、前記目印記録部は、前記照射方向検出部による照射方向の検出によって把握される前記照射領域に対応する位置に目印を印刷するようにしても良い。
さらに、本発明の印刷装置において、前記排出トレイに出力された前記記録紙を検出する記録紙検出部を具備し、前記記録紙検出部によって、前記排出トレイに出力された前記記録紙が取り除かれてなくなったことが検出されると、前記点灯制御部は、前記発色ライトを消灯させると共に、前記出力目印位置情報記憶部に記憶された前記出力目印位置情報を消去させるようにしても良い。
【発明の効果】
【０００７】
本発明によれば、可視光で透明な目印によって、排出トレイに出力された記録紙を簡単に識別することができるという効果を奏する。
【図面の簡単な説明】
【０００８】
【図１】本発明に係る印刷装置の実施の形態の内部構成を示す概略模式側断面図である。
【図２】図１に示す印刷装置の正面図である。
【図３】図１に示す発色ライトによる照射領域を説明する説明図である。
【図４】図１に示す印刷装置の構成を示すブロック図である。
【図５】図２に示すタッチパネルに表示される目印登録画面例を示す図である。
【図６】本発明に係る印刷装置の実施の形態の目印印刷動作を説明するフローチャートである。
【図７】本発明に係る印刷装置の実施の形態の点灯動作を説明するフローチャートである。
【発明を実施するための形態】
【０００９】
次に、本発明の実施の形態を、図面を参照して具体的に説明する。
本実施の形態の印刷装置１は、電子写真方式を利用した複写機や複合機等の画像形成装置であり、図１を参照すると、原稿読取部２と、原稿給送部３と、本体部４と、操作部６とを備えている。原稿給送部３は、原稿読取部２の上部に配設されていると共に、原稿読取部２は、本体部４の上部に配設され、原稿読取部２と本体部４との間には、排出トレイ４０が形成されている。
【００１０】
図２を参照すると、操作部６には、タッチパネル６１、操作ボタン６２、カード情報読取部６３が設けられている。ユーザーは操作部６を操作して指示を入力することで、印刷装置１の各種の設定を行い、スキャン動作や画像形成等の各種機能を実行させる。タッチパネル６１は、印刷装置１の状態を表示したり、画像形成状況や印刷部数を表示したり、両面印刷や白黒反転等の機能や倍率設定、濃度設定など各種設定を行えるようになっている。操作ボタン６２としては、スキャン動作や画像形成の開始を指示するスタートボタン、スキャン動作や画像形成の中止を指示するストップボタン、印刷装置１の各種設定をデフォルト状態にする際に使用するリセットボタン等が設けられている。カード情報読取部６３は、ＮＦＣ（Near field radio communication）等の近距離無線通信技術を用いて、ユーザーのＩＤカードから認証情報を読み取る。
【００１１】
図１を参照すると、原稿読取部２は、光源と撮像素子とを備え、ＬＥＤや冷陰極管ランプ等の光源の光を原稿ＭＳの画像面に導くと共に、画像面からの反射光をＣＣＤセンサー等の撮像素子に導くスキャナー２１と、プラテンガラス２２と、原稿読取スリット２３とを備える。スキャナー２１は、モーター２４とプーリー２５との間に架け渡された歯付きベルト２６に固定されており、モーター２４を駆動することで、スキャナー２１がプラテンガラス２２に載置された原稿ＭＳの画像面に沿って移動され、原稿ＭＳの画像面を走査（スキャン）するように構成されている。プラテンガラス２２は、ガラス等の透明部材により構成された原稿台である。原稿読取スリット２３は、原稿給送部３による原稿の搬送方向と直交方向に形成されたスリットである。
【００１２】
プラテンガラス２２に載置された原稿ＭＳを読み取る場合には、スキャナー２１をプラテンガラス２２に沿って副走査方向に移動させながら、プラテンガラス２２に載置された原稿ＭＳを主走査方向の１ライン毎に走査することで画像データを取得し、取得した画像データを本体部４に出力する。また、原稿給送部３により搬送された原稿ＭＳを読み取る場合には、スキャナー２１を原稿読取スリット２３と対向する位置に移動させ、原稿読取スリット２３を介し、原稿給送部３による原稿の搬送動作と同期して原稿ＭＳを読み取って画像データを取得し、取得した画像データを本体部４に出力する。
【００１３】
原稿給送部３は、原稿載置部３１と、原稿排出部３２と、原稿搬送機構３３とを備えている。原稿載置部３１に載置された原稿ＭＳは、原稿搬送機構３３によって、１枚ずつ順に繰り出されて原稿読取スリット２３に対向する位置へ搬送され、その後、原稿排出部３２に排出される。なお、原稿給送部３は、可倒式に構成され、プラテンガラス２２上を開閉するプラテンカバーとして機能し、原稿給送部３を上方に持ち上げて開成すると、プラテンガラス２２の上面を開放させることができる。
【００１４】
本体部４は、電子写真プロセスによって記録紙Ｐに印刷を施す記録部５と、記録紙Ｐに目印を印刷する目印記録部１００とを備えると共に、給紙カセット４１と、給紙ローラー４２と、用紙搬送路４３と、搬送ローラー４４と、排出ローラー４５とを備えている。給紙ローラー４２、搬送ローラー４４及び排出ローラー４５は、記録紙Ｐを搬送する搬送部として機能する。給紙カセット４１に収納された記録紙Ｐは、給紙ローラー４２によって用紙搬送路４３に１枚ずつ繰り出され、搬送ローラー４４によって記録部５に搬送される。そして、記録部５によって印刷が施された記録紙Ｐには、さらに目印記録部１００によって目印の印刷が施され、排出トレイ４０に出力される。
【００１５】
記録部５は、感光体ドラム５１と、帯電器５２と、光走査部５３と、現像部５４と、転写ローラー５５と、定着部５６と、クリーニング部５７とを備えている。記録部５による画像形成は、まず、帯電器５２により感光体ドラム５１の表面を一様に帯電させ、原稿読取部２で読み取られ画像データに基づいて、光走査部５３によって感光体ドラム５１の表面を走査することで静電潜像を形成させる。次に、感光体ドラム５１の表面に形成された静電潜像を現像部５４によって現像することでトナー像を形成させる。感光体ドラム５１の表面に形成されたトナー像は、給紙カセット４１から繰り出された記録紙Ｐが、感光体ドラム５１と転写ローラー５５とのニップ部を通過する間に記録紙Ｐに転写される。記録紙Ｐに転写されたトナー像は、定着部５６を通過する間に記録紙Ｐに熱定着される。
【００１６】
目印記録部１００は、記録部５の定着部５６の下流側に配置されたライン型インクジェットプリンターである。目印記録部１００は、可視光では透明で、紫外線や赤外線等の特定波長の不可視光によって発色する蛍光透明インキを用いて、排出トレイ４０に出力された際に上面となる記録紙Ｐの一方面に目印を印刷する。
【００１７】
排出トレイ４０には、記録紙Ｐの有無を検出するセンサーである記録紙検出部１１０と、発色ライト１２０とが設けられている。発色ライト１２０は、目印記録部１００で用いられる蛍光透明インキを発色させる特定波長の不可視光を、排出トレイ４０に出力された記録紙Ｐの上面側から照射する。
【００１８】
発色ライト１２０は、図３（ａ）に示すように、ユーザーの操作によって照射方向を左右に切換え可能に構成されている。本実施の形態では、照射方向を右側、中央、左側の３方向のいずれかに切り換え可能になっている。これにより、図３（ｂ）〜（ｄ）に示すように、排出トレイ４０における照射範囲Ｈが切り換わる。図３（ｂ）〜（ｄ）において、照射範囲Ｈ内の表記は、目印記録部１００によって印刷された目印である。このように、目印記録部１００は、発色ライト１２０の照射方向によって切り換わる照射範囲Ｈ内に目印を印刷する。なお、照射範囲Ｈ内に印刷される目印は、他の照射範囲Ｈへの不可視光の照射によって発色されない配置となっている。例えば、図３（ｂ）に示すように、左側の照射範囲Ｈ内に印刷された目印は、図３（ｃ）、（ｄ）に示すように、照射範囲Ｈが中央及び右側に切換えられると、発色されない。
【００１９】
図４には、印刷装置１の概略構成を示すブロック図が示されている。上述の原稿読取部２、原稿給送部３、搬送部（給紙ローラー４２、搬送ローラー４４、排出ローラー４５）、記録部５、操作部６、目印記録部１００、記録紙検出部１１０及び発色ライト１２０は、制御部７に接続され、制御部７によって動作制御される。また、制御部７には、画像処理部８、記憶部９、通信部１０、照射方向検出部１３０が接続されている。
【００２０】
通信部１０は、ＬＡＮ等のネットワーク１１を介して、パーソナルコンピューター等のユーザー端末１２から印刷ジョブを受信する機能を有する。
【００２１】
記憶部９は、半導体メモリやＨＤＤ（Hard Disk Drive）等の記憶手段であり、印刷データである原稿読取部２によって原稿を読み取ることで取得された画像データやユーザー端末１２から受信した文書データが記憶される。また、記憶部９には、ユーザーのＩＤカードから読み取った認証情報と照合して、ユーザー認証を行うためのユーザーを特定するユーザーＩＤやパスワード等からなるユーザー情報９１と、ユーザー毎の目印が登録される目印情報９２とが記憶されている。
【００２２】
目印情報９２は、図５に示すような目印登録画面によって登録される。ユーザーは、タッチパネル６１に目印登録画面を表示させ、目印情報９２として、目印印刷の有無と、目印の形状（文字列や記号等）と、目印の印刷位置（左側、中央、右側）とをそれぞれ設定して登録する。なお、目印の形状は、ユーザー情報に基づいて、ユーザー名等が自動的に設定されるようにしても良い。また、目印の印刷位置は必須ではなく、任意で設定可能になっている。さらに、目印情報９２の登録はユーザー端末１２から行えるようにしても良く、ユーザー端末１２からの印刷ジョブに目印情報９２を付加するようにしても良い。
【００２３】
画像処理部８は、ユーザー端末１２から受信した印刷ジョブに基づいて印刷用の画像データを形成する機能を有する。また、画像処理部８は、形成した画像データや原稿読取部２によって原稿を読み取ることで取得された画像データに対して所定の画像処理を行う手段であり、例えば、拡大縮小処理や、濃度調整、階調調整等の画像改善処理が行われる。
【００２４】
照射方向検出部１３０は、ユーザーの操作によって切換えられる発色ライト１２０の照射方向を検出する。本実施の形態では、照射方向検出部１３０は、発色ライト１２０の照射方向が右側、中央、左側の３方向のいずれであるかを検出する。
【００２５】
制御部７は、ＲＯＭ（Read Only Memory）、ＲＡＭ（Random Access Memory）等を備えたマイクロコンピューター等の情報処理部である。ＲＯＭには印刷装置１の動作制御を行うための制御プログラムが記憶されている。制御部７は、ＲＯＭに記憶されている制御プログラムを読み出し、制御プログラムをＲＡＭに展開させることで、操作部６から入力された所定の指示情報やユーザー端末１２から受信した印刷ジョブに応じて装置全体の制御を行う。また、制御部７は、点灯制御部７１として機能する。
【００２６】
次に、本実施の形態の印刷装置１における目印印刷動作について図６を参照して詳細に説明する。
制御部７は、通信部１０によってユーザー端末１２から印刷ジョブを受信し（ステップＡ１）、カード情報読取部６３によって読み取った認証情報によってユーザーを認証すると（ステップＡ２）、ステップＡ１で受信した印刷ジョブを実行する。
【００２７】
制御部７は、印刷ジョブの実行に際し、ユーザー毎に登録されている目印情報９２を参照することで、目印印刷の有無を判断する（ステップＡ３）。ステップＡ３で目印印刷が無しに設定されている場合には、制御部７は、目印印刷を行うことなく、印刷ジョブを実行して目印印刷動作を終了させる。
【００２８】
ステップＡ３で目印印刷が有りに設定されている場合には、制御部７は、目印情報９２を参照することで、目印位置が設定されているか否かを判断する（ステップＡ４）。ステップＡ４で目印位置が設定されている場合、制御部７は、印刷ジョブの実行に際し、設定されている目印位置に目印を印刷する（ステップＡ５）。ステップＡ４で目印位置が設定されていない場合、制御部７は、照射方向検出部１３０による照射方向の検出によって発色ライト１２０による排出トレイ４０上の照射領域を把握し、印刷ジョブの実行に際し、発色ライト１２０の照射領域に対応する位置に目印を印刷する（ステップＡ６）。
【００２９】
次に、本実施の形態の印刷装置１における発色ライト１２０の点灯動作について図７を参照して詳細に説明する。
制御部７は、発色ライト１２０の点灯を制御する点灯制御部７１として機能する。点灯制御部７１は、排出トレイ４０への記録紙Ｐの出力と（ステップＢ１）、記録紙検出部１１０の検出に基づいて排出トレイ４０の記録紙Ｐが全て取り除かれてなくなることと（ステップＢ２）、照射方向検出部１３０による照射方向の検出に基づいて発色ライト１２０の照射領域が切換えられることとを監視している（ステップＢ３）。
【００３０】
ステップＢ１で排出トレイ４０に記録紙Ｐが出力されると、点灯制御部７１は、出力された記録紙Ｐに目印印刷があるか否かを判断する（ステップＢ４）。ステップＢ４で目印印刷がない場合、点灯制御部７１は、ステップＢ１、Ｂ２、Ｂ３に戻って、それぞれの動作を監視する。
【００３１】
ステップＢ４で目印印刷がある場合、点灯制御部７１は、ステップＡ１で排出トレイ４０に出力された記録紙Ｐにおける目印印刷の印刷位置をＲＡＭや記憶部９に出力目印位置情報として記憶する（ステップＢ５）。出力目印位置情報が記憶されるＲＡＭや記憶部９は、出力目印位置情報記憶部として機能する。そして、点灯制御部７１は、照射方向検出部１３０の検出と、出力目印位置情報とに基づいて、発色ライト１２０の現在の照射領域に目印印刷が施された記録紙Ｐがあるか否かを判断する（ステップＢ６）。ステップＢ６で照射領域に目印印刷がない場合、点灯制御部７１は、ステップＢ１、Ｂ２、Ｂ３に戻って、それぞれの動作を監視する。
【００３２】
ステップＢ６で照射領域に目印印刷がある場合、点灯制御部７１は、発色ライト１２０を点灯させる点灯処理を行って（ステップＢ８）、ステップＢ１、Ｂ２、Ｂ３に戻って、それぞれの動作を監視する。なお、ステップＢ８の点灯処理は、消灯中の発色ライト１２０を点灯させると共に、発色ライト１２０が点灯中の場合には点灯を継続させる。
【００３３】
ステップＢ２で記録紙Ｐが全て取り除かれてなくなると、点灯制御部７１は、出力目印位置情報を消去すると共に（ステップＢ９）、発色ライト１２０を消灯させる消灯処理を行って（ステップＢ１０）、ステップＢ１、Ｂ２、Ｂ３に戻って、それぞれの動作を監視する。
【００３４】
ユーザーが目印の印刷位置を設定した場合、現在の発光ライト１２０の照射方向がユーザーの設定した印刷位置を照射する方向と異なる場合等には、発光ライト１２０の照射領域が切換えられる。ステップＢ３で照射領域が切換えられると、点灯制御部７１は、照射方向検出部１３０の検出と、出力目印位置情報とに基づいて、発色ライト１２０の切換えられた照射領域に目印印刷が施された記録紙Ｐがあるか否かを判断する（ステップＢ１１）。ステップＢ１１で照射領域に目印印刷がある場合、点灯制御部７１は、ステップＢ８に至って点灯処理を行う。ステップＢ１１で照射領域に目印印刷がない場合、点灯制御部７１は、ステップＢ１０に至って消灯処理を行う。なお、ステップＢ６、Ｂ１１の判断は、あくまで照射方向検出部１３０の検出と、出力目印位置情報とに基づく判断であり、ユーザーによって排出トレイ４０から該当する記録紙Ｐが取り除かれた場合も考えられる。また、複数のユーザーにより複数の印刷ジョブが実行された場合には、排出トレイ４０に排出された記録紙Ｐの束をめくって自身の印刷ジョブによって出力させた記録紙Ｐを識別（発光ライト１２０の照射により目印が発色することを確認）すると良い。
【００３５】
以上説明したように、本実施の形態は、記録紙Ｐに印刷を行って排出トレイ４０に出力する記録部５と、排出トレイ４０に出力された記録紙Ｐの上面側から、排出トレイＰの所定領域に不可視光を照射する発色ライト１２０と、可視光では透明で、発色ライト１２０の不可視光によって発色する蛍光透明インキを用いて、排出トレイ４０に出力された際に上面となる記録紙Ｐの一方面の、発色ライト１２０の照射領域に対応する位置に目印を印刷する目印記録部１００とを備えている。
この構成により、可視光で透明な目印によって、排出トレイ４０に出力された記録紙Ｐを簡単に識別することができる。目印が可視光で透明で視認不能であるため、正式な文書として用いることができる。また、仕切紙を用いることなく識別ができるため、仕切紙が無駄になることがない。
【００３６】
さらに、本実施の形態によれば、発色ライト１２０は、照射方向を複数の方向に切換えて、排出トレイ４０上の照射領域を切換え可能に構成されており、発色ライト１２０の照射方向を検出する照射方向検出部１３０と、記録紙Ｐにおける目印印刷の印刷位置を出力目印位置情報として記憶する出力目印位置情報記憶部（制御部７のＲＡＭや記憶部９）と、照射方向検出部１３０による照射方向の検出、及び出力目印位置情報に基づいて、発色ライト１２０の現在の照射領域に目印印刷が施された記録紙Ｐがあるに発色ライト１２０を点灯させる点灯制御部７１とを備えている。
この構成により、発色ライト１２０の現在の照射領域に目印印刷が施された記録紙Ｐがある判断されると発色ライト１２０を点灯するため、無駄な発色ライト１２０の点灯を防止することができる。
【００３７】
さらに、本実施の形態によれば、目印記録部１００は、照射方向検出部１３０による照射方向の検出によって把握される照射領域に対応する位置に目印を印刷する。
この構成により、現在の発色ライト１２０の照射領域内に出力された記録紙Ｐの目印が位置するため、発色された目印によって記録紙Ｐを容易に識別することができる。
【００３８】
さらに、本実施の形態において、排出トレイ４０に出力された記録紙Ｐを検出する記録紙検出部１１０を具備し、記録紙検出部１１０によって、排出トレイ４０に出力された記録紙Ｐが取り除かれてなくなったことが検出されると、点灯制御部７１は、発色ライト１２０を消灯させると共に、出力目印位置情報記憶部に記憶された出力目印位置情報を消去させる。
この構成により、発色ライト１２０の点灯制御を効率良く行うことができる。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４０】
１  印刷装置
２  原稿読取部
３  原稿給送部
４  本体部
５  記録部
６  操作部
７  制御部
８  画像処理部
９  記憶部
１０  通信部
１１  ネットワーク
１２  ユーザー端末
２１  スキャナー
２２  プラテンガラス
２３  原稿読取スリット
２４  モーター
２５  プーリー
２６  歯付きベルト
３１  原稿載置部
３２  原稿排出部
３３  原稿搬送機構
４０  排出トレイ
４１  給紙カセット
４２  給紙ローラー
４３  用紙搬送路
４４  搬送ローラー
４５  排出ローラー
５１  感光体ドラム
５２  帯電器
５３  光走査部
５４  現像部
５５  転写ローラー
５６  定着部
５７  クリーニング部
６１  タッチパネル
６２  操作ボタン
６３  カード情報読取部
７１  点灯制御部
９１  ユーザー情報
９２  目印情報
１００  目印記録部
１１０  記録紙検出部
１２０  発色ライト
１３０  照射方向検出部
【図１】
2017154285.tif 000003
【図２】
2017154285.tif 000004
【図３】
2017154285.tif 000005
【図４】
2017154285.tif 000006
【図５】
2017154285.tif 000007
【図６】
2017154285.tif 000008
【図７】
2017154285.tif 000009